(57)【特許請求の範囲】
【請求項１】
筐体、ライブ端子を含み、部分的に筐体に埋め込まれた複数の端子、および複数の電力ケーブルを含む過温度及び過電流保護電源プラグであって、
筐体は、過温度および過電流保護ユニットがその中に備えられており、
保護ユニットは、バイメタル板、およびバイメタル板の両端に並列に接続されたサーミスタを含み、
ライブ端子は、保護ユニットのバイメタル板に近い側部に、導電性ワイヤを用いずに直接的かつ電気的に接続されていることを特徴とする電源プラグ。
【請求項２】
保護ユニットは金属シェルを含み、ライブ端子は金属シェルに直接押し当てられ電気的に接続されていることを特徴とする請求項１に記載の電源プラグ。
【請求項３】
保護ユニットは金属シェルを含み、ライブ端子は金属シェルに直接溶接されていることを特徴とする請求項１に記載の電源プラグ。
【請求項４】
２つ、３つ、４つまたは５つの端子を含むことを特徴とする請求項１〜３のいずれか１項に記載の電源プラグ。
【請求項５】
端子と電力ケーブルとの成す角度が９０゜または１８０゜の形状を有することを特徴とする請求項１〜３のいずれか１項に記載の電源プラグ。
【発明の詳細な説明】
【技術分野】
【０００１】
本発明は、電源プラグに関し、より具体的には、過温度および過電流の状態からの保護を提供することが可能な電源プラグに関する。
【背景技術】
【０００２】
過温度および過電流保護電源プラグが、中国特許出願第２００７２０１９６０４４．１号に開示されており、これは、２００８年１２月１０日に中国特許第ＣＮ２０１１６３６９０号として本出願の譲受人に発行されており、参照によって、その全体を本明細書に組み込む。図１および図２を参照すると、電源プラグは、筐体１、部分的に筐体１に埋め込まれた端子２，３，４、および電力ケーブル５，６，７を含んでいる。端子２はライブ端子である。過温度および過電流保護ユニット１００が、筐体１の内部に備えられ、電源プラグの端子２と電力ケーブル５との間に直列に接続されている。電源プラグの内部構造を示す図２を参照すると、保護ユニット１００は、金属シェル２０に近い側部に位置するバイメタル板４０、およびサーミスタ５０を有する。配線カード２４が配置される電気接続端が、金属シェル２０から延びて、導電性ワイヤ８０を介してライブ端子２に電気的に接続されており、一方、導電性ワイヤ８０は、第２の配線カード７０によって受けられ保持されている。電源プラグは、過温度および過電流の状態からの保護を提供することが可能である。
【０００３】
しかし、上述の電源プラグのライブ端子２は、導電性ワイヤを介して、保護ユニット１００の電気接続端に接続されている。電源プラグのプラスチック、導電性ワイヤおよび配線カードなどの他の材料が、ライブ端子と保護ユニットとの間に存在することにより、熱はライブ端子から保護ユニットに直接的には伝達され得ず、したがって、保護ユニットの熱伝達効率および応答速度は低い。
【発明の概要】
【０００４】
本発明は、熱をライブ端子から電源プラグの保護ユニットに直接的かつ効率的に伝達することが可能な、過温度および過電流保護電源プラグを提供することを目的とする。
【０００５】
上記目的を実現するために、本発明は、過温度および過電流保護電源プラグを提供する。この電源プラグは、筐体、部分的に筐体に埋め込まれた複数の端子、および複数の電力ケーブルを含む。筐体は、保護ユニットがその中に備えられており、電源プラグのライブ端子は、直接的かつ電気的に保護ユニットと接続されている。
【０００６】
保護ユニットは金属シェルを備えており、ライブ端子は金属シェルに直接押し当てられ電気的に接続されている。
【０００７】
保護ユニットは金属シェルを備えており、ライブ端子は金属シェルに直接溶接されている。
【０００８】
保護ユニットは、バイメタル板、およびバイメタル板の両端に並列に接続されたサーミスタを含む。
【０００９】
ライブ端子は、バイメタル板に近い側部で金属シェルに直接的かつ電気的に接続されている。
【００１０】
電源プラグは、２つ、３つ、４つまたは５つの端子を含む。
電源プラグは、９０゜または１８０゜の形状を有する。
【００１１】
本発明の長所は、ライブ端子と保護ユニットの金属シェルとの接続が、それらを互いに押し当てることによって、あるいは、さらに、両者の間に何物も介在させずにそれらを溶接することによって、実現されている点にある。熱伝達は、より直接的かつ効率的であり、保護ユニットの応答は、より高速でより高感度である。加えて、保護ユニットは、様々な形状および構造の電源プラグにおいて使用することが可能な小型の構造を有している。
【００１２】
使用時の電源プラグの様々な必要性に応じて、保護ユニットの電圧および電流は、電源プラグの必要とされる電気パラメータに適合させるために、幅広い範囲で選択することが可能である。保護ユニットの温度は選択可能であり、４５℃（±５，±８，±１０）の最小カットアウト温度を達成することが可能である。
【図面の簡単な説明】
【００１３】
以下、添付の図面を参照し、いくつかの実施形態を通じて、本発明を詳細に説明する。
【図１】過温度および過電流から保護された従来技術の電源プラグの断面図である。
【図２】図１に示した保護ユニットの断面図である。
【図３】本発明の第１の実施形態による電源プラグの断面図である。
【図４】本発明の第２の実施形態による電源プラグの断面図である。
【図５】本発明の第３の実施形態による電源プラグの断面図である。
【発明を実施するための形態】
【００１４】
図３に、本発明の第１の実施形態による電源プラグを示す。図３は、３つの端子を有し、筐体１、部分的に筐体に埋め込まれた端子２，３，４、および電力ケーブル５，６，７を含む電源プラグを示している。端子２，３，４は、それぞれ、ライブ端子２、ニュートラル端子３およびグランド端子４である。電源ケーブル５，６，７は、それぞれ、ライブ線、ニュートラル線、およびグランド線である。金属シェル２０を有する保護ユニット２０が、電源プラグの筐体の内部に備えられている。電源プラグのライブ端子２は、バイメタル板に近い側部で金属シェル２０に、ワイヤを用いず直接に電気的に接続されている。この接続は、ライブ端子２を金属シェル２０に対して直接押し当てることによって、あるいは、ライブ端子２を金属シェル２０に直接溶接することによって、実現されてよい。
【００１５】
図４に、本発明の第２の実施形態による電源プラグを示す。図４に示したライブ端子２と保護ユニット２０との接続は、図４の電源プラグが２つの端子２，３を備えることを除いて、第１の実施形態のものと同じである。
【００１６】
図５に、本発明の第３の実施形態による電源プラグを示す。図５に示したライブ端子２と保護ユニット２０との接続は、第１および第２の実施形態で示した電源プラグが、端子と電力ケーブル８との角度が１８０°に構成された、１８０°の形状を有しているのに対して、本実施形態の電源プラグは、９０°の形状を有していることを除いて、第１の実施形態のものと同じである。
【００１７】
本発明の適用は、これらの電源プラグの端子数、角度、形状、構造および仕様に限られない。本発明は、４つまたは５つの端子を有する電源プラグにおいて広く使用してよく、丸い形状、四角い形状、またはあらゆる組合せの電源プラグにおいても使用してよい。
【図１】
0005404809.tif 000002
【図２】
0005404809.tif 000003
【図３】
0005404809.tif 000004
【図４】
0005404809.tif 000005
【図５】
0005404809.tif 000006